(57)【特許請求の範囲】
【請求項１】
床梁をなすＨ型鋼又はＩ型鋼の側面に固定された受金具と、受金具に下端を固定された防振支持部材と、防振支持部材の上端に固定されたパネル支持部材と、パネル支持部材上に端縁部を載置された床パネルとからなり、前記パネル支持部材は断面が略コ字状で、そのコ字状をなす上側突出片と下側突出片との間に床梁であるＨ型鋼又はＩ型鋼の上側フランジ部を挟むように配置され、且つ上側突出片が上側フランジ部との間に防振支持部材の撓み代を残して保持されると共に、隣接するパネル支持部材の上側突出片上に載置された床パネルの互いに対向する端縁部が床梁をなすＨ型鋼又はＩ型鋼の上側フランジ部のほぼ中央で隙間なく当接していることを特徴とする高遮音床構造。
【請求項２】
床梁の両側に配置された断面略コ字状のパネル支持部材の互いに対向する上側突出片の先端縁が、床梁をなすＨ型鋼又はＩ型鋼の上側フランジ部のほぼ中央で互いに摺動可能に当接するか又は近接していることを特徴とする、請求項１に記載の高遮音床構造。
【発明の詳細な説明】
【０００１】
【発明の属する技術分野】
本発明は、プレハブ住宅やマンション等の鉄骨構造の住宅において、床に発生する振動や衝撃音等の伝搬を防止する高遮音床構造に関するものである。
【０００２】
【従来の技術】
従来から、鉄骨構造の住宅の床構造では、Ｈ型鋼又はＩ型鋼からなる床梁に直接又は床受金物を介して、ＡＬＣ等からなる床パネルを載置していた。しかし、このような床構造では、床パネルが床梁や床受金物に直接載置されているため、品物の落下や子供が飛び跳ねたとき等に床に発生する衝撃音が階下に直接伝わるという問題があった。
【０００３】
そこで、特開平１０−２０９９号公報に記載されるように、床梁であるＨ型鋼又はＩ型鋼の上側フランジ部に衝撃を吸収する防振ゴム基台を載置して、その上に床パネルを上載せすることにより、床に発生する衝撃音を吸収する防振床構造が提案されている。しかし、このような防振床構造では、床パネルを床梁上に載置する場合と比較して、床パネルの位置が防振ゴム基台の高さだけ高くなり、その分だけ天井高さが低くなるという欠点があった。
【０００４】
また、特開平１１−１３１９２号公報などには、防振装置を床梁の側方に配置した防振床構造が開示されている。即ち、図３に示すように、Ｈ型鋼又はＩ型鋼の床梁１の側面に受金物２をボルト・ナットで固定し、この床梁１の側方に延びた受金物２に液封ダンパー３を取付け、この液封ダンパー３上に断面コ字状のパネル枠４を固定して、パネル枠４上に床パネル５を載置している。
【０００５】
【発明が解決しようとする課題】
一般に、図３に示すように、ＡＬＣ等の床パネル５をパネル枠４上に載置する場合、床パネル５の端縁部５ａがパネル枠４から外側に延長して支持されていないと、パネル枠４から外れた端縁部５ａが破損しやすいため、床パネル５の端縁部５ａは実質的にパネル枠４上に載せて保持する必要がある。
【０００６】
しかしながら、図３に示すような従来の防振床構造では、受金物２、液封ダンパー３、パネル枠４が全て床梁１の側方に配置されているため、床パネル５の端縁部５ａをパネル枠４上に載せて保持すると、Ｈ型鋼又はＩ型鋼からなる床梁１の直上において隣接する床パネル５、５間に隙間が発生する。この隙間のため床の耐火性能が低下すると共に、この隙間を通して室内の音が階下に伝わりやすくなるため、十分な遮音性が得られなかった。
【０００７】
この欠点を無くすため、図３の防振床構造では、隣接する床パネル５、５間に生じた隙間に緩衝板６を挿入してパネル枠４上で載置保持しているが、床パネル５以外に緩衝板６が別途必要となり、また施工に手間がかかるため、コストアップの要因となっていた。
【０００８】
また、図３に示す従来の防振床構造では、液封ダンパー３やパネル枠４を床梁１の側方に配置しているため、これらが床梁１であるＨ型鋼又はＩ型鋼の上側フランジ部１ａと接しないように、受金物２を床梁１から側方に長く延設する必要がある。そのため、床梁１の中心線と液封ダンパー３の中心線（パネル枠４の取付点）との間の距離Ｄが長くなり、床パネル５の支持剛性が低下するという問題もあった。
【０００９】
本発明は、このような従来の事情に鑑み、床パネルの高さを低く抑えながら、優れた遮音性能を達成すると同時に、隣接する床パネルの端縁部を互いに当接させて隙間なく設置でき、しかも床パネルの支持剛性が高く、コンパクトでコスト的にも優れた高遮音床構造を提供することを目的とする。
【００１０】
【課題を解決するための手段】
上記目的を達成するため、本発明が提供する高遮音床構造は、床梁をなすＨ型鋼又はＩ型鋼の側面に固定された受金具と、受金具に下端を固定された防振支持部材と、防振支持部材の上端に固定されたパネル支持部材と、パネル支持部材上に端縁部を載置された床パネルとからなり、前記パネル支持部材は断面が略コ字状で、そのコ字状をなす上側突出片と下側突出片との間に床梁であるＨ型鋼又はＩ型鋼の上側フランジ部を挟むように配置され、且つ上側突出片が上側フランジ部との間に防振支持部材の撓み代を残して保持されていることを特徴とする。
【００１１】
上記本発明の高遮音床構造においては、床梁の両側に配置された断面略コ字状のパネル支持部材の互いに対向する上側突出片の先端縁が、床梁をなすＨ型鋼又はＩ型鋼の上側フランジ部のほぼ中央で互いに摺動可能に当接するか又は近接していることを特徴とする。また、隣接するパネル支持部材の上側突出片上に載置された床パネルの互いに対向する端縁部が、床梁をなすＨ型鋼又はＩ型鋼の上側フランジ部のほぼ中央で隙間なく当接していることを特徴とする。
【００１２】
【発明の実施の形態】
本発明の高遮音床構造においては、Ｈ型鋼又はＩ型鋼からなる床梁の側面に固定した受金具に防振支持部材の下端を固定すると共に、その防振支持部材の上端には断面略コ字状のパネル支持部材を固定するが、このパネル支持部材はコ字状をなす上側突出片と下側突出片との間に床梁であるＨ型鋼又はＩ型鋼の上側フランジ部を挿入して挟み込むように配置する。
【００１３】
また、断面略コ字状をなすパネル支持部材の上側突出片は床梁であるＨ型鋼又はＩ型鋼の上側フランジ部の上方にあって、その先端縁が上側フランジ部の中央（Ｈ型鋼又はＩ型鋼の縦鋼本体の中心線上）又はその近傍にまで延長している。このため、隣接するパネル支持部材の上側突出片にそれぞれ床パネルの端縁部を載置したとき、隣接する床パネルの端縁部を隙間なく当接させて配置することができ、床の耐火性能及び遮音性能を高めると共に、図３に示す従来の防振床構造で隙間を埋めるために必要であった緩衝板を廃止することができる。
【００１４】
しかも、床梁であるＨ型鋼又はＩ型鋼の上側フランジ部がパネル支持部材のコ字状の開口部内に挿入されているので、断面略コ字状のパネル支持部材及び防振支持部材を床梁に接近させて配置することが可能である。その結果、床梁の中心線と防振支持部材の中心線（パネル支持部材の取付点）との間の距離を短くすることが可能となり、図３に示す従来の防振床構造に比べて床パネルの支持剛性が大幅に向上する。
【００１５】
パネル支持部材を保持する防振支持部材としては、単層型又は積層型のゴムマウント、流体封入式マウント等を使用することができる。これらの防振支持部材は、床パネルに加えられた振動を撓みにより減衰し、衝撃音を吸収する。このため、定常状態におけるパネル支持部材の保持位置は、その上側突出片と床梁であるＨ型鋼又はＩ型鋼の上側フランジ部との間に、防振支持部材の撓み代を残して保持すればよく、従って床パネルの高さを低く抑えることが可能である。
【００１６】
次に、本発明の高遮音床構造の一実施例を図１に基づいて説明する。図１において、１１はＨ型鋼からなる床梁であり、その縦鋼本体１１ｃの側面に受金具１２が溶接又はボルト・ナット等の手段により固定されている。この受金具１２には、それぞれ防振支持部材としての流体封入式マウント１３の下端取付ボルト１３ｂがナットによって固定されている。また、流体封入式マウント１３の上端取付ボルト１３ａには、断面略コ字状のパネル支持部材１４の下側突出片１４ｂがナットで固定されている。
【００１７】
パネル支持部材１４は断面が略コ字状であって、そのコ字状の開口部が床梁１１のＨ型鋼の上側フランジ部１１ａを挟むように、即ちパネル支持部材１４の上側突出片１４ａと下側突出片１４ｂの間にＨ型鋼の上側フランジ部１１ａが挿入されるように配置されている。そして、床梁１１を挟んで両側に位置するパネル支持部材１４、１４の上側突出片１４ａ、１４ａは、互いの先端縁が摺動可能に当接し又は近接して設置されている。
【００１８】
このように配置されたパネル支持部材１４には、ＡＬＣ等からなる床パネル１５が載置される。その際、隣接するパネル支持部材１４、１４の上側突出片１４ａ、１４ａの先端縁が互いに当接又は近接しているので、隣接する床パネル１５、１５の対向する端縁部を床梁１１であるＨ型鋼の上側フランジ部１４ａの中央で互いに隙間なく当接させることができる。尚、この実施例では一つの床パネル１５の対向する２辺の端縁部をそれぞれ別のパネル支持部材１４に載置しているが、床パネルの端縁部全周を一つ四角枠状のパネル支持部材上に載置することもできる。
【００１９】
また、断面略コ字状のパネル支持部材１４を上記のごとく配置することによって、防振支持部材である流体封入式マウント１３をＨ型鋼からなる床梁１１の縦鋼本体１１ｃに接触する直前まで接近させることができる。そのため、床梁１１の中心線と流体封入式マウント１３の中心線（パネル支持部材１４の取付点）との距離ｄを可能な最短距離とすることができ、従って図３に示す従来の防振床構造に比べて床パネル１５の支持剛性を大幅に向上させることができる。
【００２０】
更に、パネル支持部材１４は、その上側突出片１４ａと床梁１１であるＨ型鋼の上側フランジ部１１ａとの間に、流体封入式マウント１３の撓み代ｈを残して保持されている。この撓み代ｈは流体封入式マウント１３の規格によって異なるが、目的に応じた撓み代ｈを有する流体封入式マウント１３を選択することにより、床パネル１５の高さを必要最小限に抑え、天井の高さを十分高くとることができる。
【００２１】
尚、上記実施例においては防振支持部材として流体封入式マウントを用いているが、単層型又は積層型のゴムマウントを使用することもできる。流体封入式マウントにおいては、非圧縮性流体である低粘性流体又は高粘性流体が内部に封入されている。低粘性流体としては、０.１Ｐａ・ｓ以下の粘度を有するものが好ましく、例えば水、アルキレングリコール、ポリアルキレングリコール、シリコーン油などを好適に使用することができる。また、高粘性流体としては、１〜１００Ｐａ・ｓの粘度を有するものが好ましく、具体的にはシリコーン油などが好適に採用可能である。
【００２２】
好適な防振支持部材の一つである流体封入マウント１３は、例えば図２に示すように、第一の取付金具２１と第二の取付金具２２とが、互いに離隔して対向配置されていると共に、本体ゴム弾性体２３によって弾性的に連結された構造を有している。また、第一の取付金具２１は略逆円錐台形状をなし、その大径側の上端面中央には軸方向上方に向かって突出する上端取付ボルト１３ａが固設されている。一方、第二の取付金具２２は円筒形状の筒金具２２ａと、その下端開口周縁部に固設された底金具２２ｂで構成され、底金具２２ｂの中央には軸方向下方に向かって突出する下端取付ボルト１３ｂが固設されている。
【００２３】
また、本体ゴム弾性体２３は全体として略円錐台形状を有しており、その大径側には第一の取付金具２１が、及び小径側には第二の取付金具２２が、それぞれ一体加硫成形により固着されている。尚、本体ゴム弾性体２３の大径側下端面には、支持荷重入力時における引張応力の軽減等の目的で、軸方向下方に向かって開口する大径で略半球形状の凹部が形成されている。
【００２４】
第二の取付金具２２の内部には、オリフィス上金具２４とオリフィス下金具２５、及び可撓性膜としてのダイヤフラムゴム２６が収容配置されている。オリフィス上金具２４とオリフィス下金具２５は互いに溶接され、オリフィス上金具２４とオリフィス下金具２５の間の外周側部分には円環状のオリフィス通路２７が形成されている。また、周囲をオリフィス通路２７で囲まれたオリフィス下金具２５の中央凹所にはダイヤフラムゴム２６が収容され、弾性変形が容易に許容されるように中央部分に弛みを持たせて固定されている。
【００２５】
このように構成された流体封入式マウント１３においては、第二の取付金具２２を構成する筒金具２２ａ内には、本体ゴム弾性体２３とダイヤフラムゴム２６の対向面間に、外部に対して流体密にシールされた閉鎖領域が形成され、この閉鎖領域内に非圧縮性流体が封入されている。この閉鎖領域はオリフィス上金具２４により仕切られて二分割されることにより、上側に受圧室Ａ及び下側には平衡室Ｂが形成されると共に、受圧室Ａと平衡室Ｂの間にはそれぞれ連通孔により連通したオリフィス通路２７が形成される。また、ダイヤフラムゴム２６と底金具２２ｂの間には、ダイヤフラムゴム２６の変形を許容するための空気室Ｃが形成されている。空気室Ｃは、底金具２２ｂに貫設された通気孔を通じて外部（大気中）に連通されている。
【００２６】
従って、第一の取付金具２１に振動が入力されると、本体ゴム弾性体２３の弾性変形に基づいて圧力変化が生じ、オリフィス通路２７を通して受圧室Ａと平衡室Ｂの間に流体流動が生じる。その結果、ダイヤフラムゴム２６が弾性変形し、空気室Ｂの容積変化により圧力変動が吸収・軽減される。即ち、このような構造を有する流体封入式マウントは、オリフィス通路２７を流動せしめられる流体の流動作用に基づいて、オリフィス通路２７のチューニング周波数付近で、位相変化に基づく高減衰効果と、低動ばね効果を発揮することができる。
【００２７】
【発明の効果】
本発明によれば、断面略コ字状のパネル支持部材とＨ型鋼又はＩ型鋼からなる床梁との配置を工夫することにより、床パネルの高さを低く抑えながら、優れた遮音性能を有すると同時に、パネル支持部材上に隣接する床パネルの端縁部を当接させて隙間なく設置することができ、床パネルの支持剛性が高く、コンパクトであってコスト的にも優れた高遮音床構造を提供することができる。
【図面の簡単な説明】
【図１】本発明の高遮音床構造における一具体例の要部を示す概略の一部切欠側面図である。
【図２】防振支持部材である流体封入式マウントを示す概略の一部切欠側面図である。
【図３】従来の防振床構造の要部を示す概略の一部切欠側面図である。
【符号の説明】
１１      床梁
１１ａ    上側フランジ部
１１ｂ    下側フランジ部
１２      受金具
１３      流体封入式マウント
１４      パネル支持部材
１４ａ    上側突出片
１４ｂ    下側突出片
１５      床パネル
【図１】
0004438259.tif 000002
【図２】
0004438259.tif 000003
【図３】
0004438259.tif 000004